(57)【特許請求の範囲】
【請求項１】
パルス集束レーザ放射を発するように構成されるレーザ装置をテストする方法であって、
瞳孔及び／又は虹彩構造を模擬するパターンを有する人工眼球体を提供するステップと、
照射テスト物体を配置するステップであって、前記照射テスト物体は、前記眼球体とは別個のものであり、前記パターンの上からの前記レーザ装置の前記レーザ放射により変更可能な材料で作られる、照射テスト物体を配置するステップと、
予め定義される適用プロファイルに従って前記レーザ装置のレーザ放射を前記照射テスト物体に適用するステップであって、それにより、前記適用プロファイルに対応する材料変更が前記照射テスト物体において生成される、前記レーザ装置のレーザ放射を前記照射テスト物体に適用するステップと、
を含み、
前記照射テスト物体の材料は、レーザ放射の適用により固化する液体材料を含み、前記材料変更は、前記照射テスト物体の材料の固化を含む、方法。
【請求項２】
前記照射テスト物体は、シェル形設計を有し、凹形シェル下面が前記パターンに面した状態で配置される、請求項１に記載の方法。
【請求項３】
前記材料変更は、前記照射テスト物体の前記シェルの上面から材料を除去することを含む、請求項２に記載の方法。
【請求項４】
前記照射テスト物体は硬質シェルとして設計される、請求項２又は３に記載の方法。
【請求項５】
前記照射テスト物体は軟質シェルとして設計される、請求項２又は３に記載の方法。
【請求項６】
前記照射テスト物体は、前記パターンを完全に覆うような寸法である、請求項２〜５のいずれか一項に記載の方法。
【請求項７】
前記照射テスト物体は、８ｍｍ〜１６ｍｍ又は１０ｍｍ〜１３ｍｍのシェル直径を有する、請求項２〜６のいずれか一項に記載の方法。
【請求項８】
前記照射テスト物体は、前記シェル下面と前記パターンとの間に空間を有した状態で前記眼球体に配置される、請求項２〜７のいずれか一項に記載の方法。
【請求項９】
前記照射テスト物体は、前記シェル下面と前記パターンとの間に空間を有しない状態で前記眼球体に配置される、請求項２〜７のいずれか一項に記載の方法。
【請求項１０】
前記眼球体は、前記パターンの領域に平坦エリアを有し、前記照射テスト物体は、前記平坦エリアの周囲の環状縁部にかぶせられることにより前記平坦エリアの上に配置される、請求項１に記載の方法。
【請求項１１】
前記照射テスト物体は、少なくとも赤外線波長範囲の光を透過可能である、請求項１〜１０のいずれか一項に記載の方法。
【請求項１２】
赤外線カメラを使用して、前記照射テスト物体を通して前記眼球体の前記パターンの少なくとも一部の画像を記録することと、
前記記録された画像に基づいて目基準特徴の位置を特定することであって、前記レーザ放射は、前記目基準特徴の前記特定された位置に応じて適用される、目基準特徴の位置を特定することと、
を更に含む、請求項１〜１１のいずれか一項に記載の方法。
【発明の詳細な説明】
【技術分野】
【０００１】
本開示は、一般には、パルス集束レーザ放射を発するように構成されたレーザ装置のテストに関する。本開示は、特に、照射テスト物体においてレーザ放射の適用プロファイルを視覚化する方法に関する。
【背景技術】
【０００２】
パルスレーザ放射は、例えば、角膜に切り込みを入れるため又は角膜組織を焼灼する（すなわち、角膜表面から組織を除去する）ために、人間の目のレーザ屈折矯正処置で使用される。レーザ放射の照射により、組織の分離又は組織の蒸発を生じさせる光破壊プロセス（ｐｈｏｔｏｄｉｓｒｕｐｔｉｖｅ  ｐｒｏｃｅｓｓ）を角膜組織において生じさせる。角膜のそのような処置の範囲内で、角膜表面は再形成され、したがって、角膜の屈折特性を変更して、目の視覚障害を減少させたり又は完全になくしたりする。
【０００３】
人間の目の実際のレーザ処置の前、テスト適用が通常、実行される。この場合、レーザ放射は適用プロファイル例に従ってテスト物体に適用される。そのようなテスト適用は、例えば、レーザ装置により発せられるレーザ放射のエネルギーを較正する等、レーザ処置で使用されるレーザ装置を較正するのに使用される。レーザ放射により生じる焼灼をテストするために、レーザ放射は従来、印画紙に向けられ、印画紙で生じる材料除去が特定される。
【０００４】
レーザ処置の過程において、処置される目は通常、複数の次元で並進運動及び回転運動する。少なくとも１つの赤外線カメラを有する目追跡システム（いわゆる目追跡器）を使用して、目の赤外線画像を記録し、適する処理ソフトウェアにより、記録された赤外線画像から処置の過程での目の運動を検出する。
【０００５】
患者の目の運動に適合されたレーザ放射の適用をシミュレートするために、テスト物体は、目追跡システムを使用して検出可能な目の構造、例えば、目の瞳孔及び虹彩構造を有する。これらのタイプのテスト物体は従来、目の構造の少なくとも１つの刻印されたレプリカを有するシート形又はプレート形の物体として実現される。しかし、テスト適用の範囲内で、処置の過程で生じる可能性がある目の運動の全ての自由度、例えば、目の回転運動は、説明したテスト物体を使用して適宜シミュレートすることができない。
【発明の概要】
【発明が解決しようとする課題】
【０００６】
例示的な実施形態の概要
本発明の目的は、様々なタイプのテスト適用を実施し得る基礎となる、パルス集束レーザ放射を発するように構成されるレーザ装置をテストする方法を提供することである。
【課題を解決するための手段】
【０００７】
本発明の一態様は、パルス集束レーザ放射を発するように構成されるレーザ装置をテストする方法である。本方法は、瞳孔及び／又は虹彩構造を含む（例えば、模擬する）パターンを有する眼球体を提供することと、照射テスト物体を配置することであって、照射テスト物体は、眼球体から離れ、パターンの上からのレーザ装置のレーザ放射により変更可能な材料で作られる、照射テスト物体を配置することとを含む。本方法は、予め定義される適用プロファイルに従ってレーザ装置のレーザ放射を照射テスト物体に適用するステップであって、それにより、適用プロファイルに対応する材料変更が照射テスト物体において生成される、レーザ装置のレーザ放射を照射テスト物体に適用することを更に含む。
【０００８】
照射テスト物体において生じる材料変更により、適用されるレーザ放射のプロファイルを視覚化することができる。適用プロファイルは、実際の目のレーザ屈折矯正処置の範囲内で実行されるように、テストプロファイル例（例えば、レーザ装置を較正するため）又は処置プロファイル例若しくは患者固有の処置プロファイルにも対応し得る。したがって、本方法が、実際の目の診断データに基づいた角膜焼灼プロファイル（患者固有の）を計算することと、レーザ放射を適用するステップにおいて、適用プロファイルとして焼灼プロファイル又はそこから導出されるプロファイルを使用することとも含むことを提供し得る。
【０００９】
一実施形態では、照射テスト物体は、シェル（又はボウル）としての設計を有し、凹形シェル下面がパターンに面した状態で配置される。その場合、照射テスト物体において生じる材料変更は、凹形湾曲シェル上面からの焼灼を含み得る。シェル上面は、少なくともパターン上に配置された状態で、互いに対して十字の形に延びる２本の凸形曲率線に沿って延び得る。シェル上面の曲率は、例えば、人間の角膜表面の曲率を模擬し得る。
【００１０】
特定の実施形態では、照射テスト物体は、パターンの上に脱着可能に配置され、例えば、眼球体上に配置される。この場合、変更された（レーザ放射の適用により）照射テスト物体は、眼球体から取り外し、選択的に未変更照射テスト物体で置換される。加えて、変更された照射テスト物体を眼球体とは別個に使用して、更に視覚化し、及び／又は生成された材料変更又は予め定義された適用プロファイルを分析し得る。
【００１１】
照射テスト物体は、硬質シェル又は軟質シェルとして設計し得る。照射テスト物体が眼球体から取り外された後であってさえも、硬質シェルの形状（及び直径）が大きく変わらないことを提供し得る。加えて、少なくとも、照射テスト物体が眼球体から取り外された後、軟質シェルのシェル形状、例えば凸面曲率が変わる、例えば平らになることを提供し得る。この場合、シェル直径は平坦化に応じて大きくなり得る。
【００１２】
照射テスト物体はパターンの少なくとも一部を覆う。したがって、例えば、照射テスト物体が、目の瞳孔及び虹彩構造を含め、目の瞳孔を含むパターンの一部のみを覆うことを提供し得る。しかし、特定の実施形態では、照射テスト物体は、パターンを完全に覆うような寸法である。照射テスト物体は、約８ｍｍ〜約１６ｍｍ、特に約１０ｍｍ〜約１３ｍｍのシェル直径を有し得る。
【００１３】
シェル下面とパターンとの間に空間を有した状態で照射テスト物体が眼球体に配置されることを提供し得る。少なくともこの場合、眼球体はパターンの領域において平坦エリアを有し得、照射テスト物体は平坦エリアの上に配置し得る。例えば、照射テスト物体は、平坦エリアの周囲の環状縁部上にかぶせ得る。
【００１４】
代替的には、シェル下面とパターンとの間に空間を有さずに照射テスト物体を眼球体に配置することを提供し得る。例えば、照射テスト物体を例えば球面の形態の眼球体の湾曲凸面にかぶせることを提供し得る。
【００１５】
眼球体は人工眼球体であり得る。この場合、パターンは、瞳孔及び／又は虹彩構造を模擬し得る。代替的には、眼球体は、瞳孔及び虹彩構造を含む人間の目の眼球体であり得る。
【００１６】
一実施形態によれば、適用プロファイルに応じて生成される材料変更は、照射テスト物体の変色及び／又は材料の除去を含む。少なくともこの場合、照射テスト物体は中実体であり得る。例えば、照射テスト物体がプラスチック材料で作られることを提供し得る。代替の実施形態によれば、照射テスト物体の材料は、レーザ放射の適用により固化する液体材料を含む。この場合、材料変更は、照射テスト物体の材料の固化を含み得る。例えば、適用プロファイルを模擬する三次元モデルを液体材料において固化し得る。
【００１７】
特定の実施形態では、照射テスト物体は少なくとも赤外線波長範囲の光を透過可能である。少なくともこの場合、本方法が、少なくとも１つのカメラ、特に赤外線カメラを使用して、照射テスト物体を通して眼球体のパターンの少なくとも一部の画像を記録することを更に含むことを提供し得る。カメラは、例えば、提供される目追跡システム（例えば、目追跡器）の一部であり得る。
【００１８】
本方法は、記録された画像に基づいて、目基準特徴（例えば、少なくとも１つの目の構造）の位置及び／又は向きを特定することを更に含むことを提供し得る。目基準特徴の複数の特定された位置及び／又は向きに基づいて、カメラに対する眼球体の動きを検出し得る。眼球体の検出される動きは、カメラに対する３つの空間軸ｘ、ｙ、ｚの少なくとも１つの並進運動及び／又は回りの回転運動を含み得る。レーザ放射は、特定された位置及び／又は向きの関数として又は目基準特徴の検出される動きの関数として適用し得る。
【００１９】
本発明の補足的な特徴、利点、及び構成要素は添付図面の以下の説明から明らかである。
【図面の簡単な説明】
【００２０】
【図１】眼球体上の照射テスト物体を処理するレーザ装置の例示的な一実施形態を示す。
【図２Ａ】人工眼球体及び照射テスト物体の例示的な一実施形態を示す。
【図２Ｂ】人工眼球体及び照射テスト物体の例示的な一実施形態を示す。
【図２Ｃ】人工眼球体及び照射テスト物体の例示的な一実施形態を示す。
【発明を実施するための形態】
【００２１】
例示的な実施形態の詳細な説明
図１は、人間の目のレーザ屈折矯正処置の、参照符号１０で全体的に示されるレーザ装置の例示的な一実施形態の高度に概略的な図を示す。レーザ装置１０は、目の処置に適するパルスレーザ放射を生成するレーザ源１２を含む。焼灼処置の場合、レーザ源１２により生成されるレーザ放射の波長はＵＶ範囲である。例えば、レーザ源１２は１９３ｎｍエキシマレーザを含む。
【００２２】
レーザ源１２により生成されたレーザ放射は、光ビーム路１４（ｚ方向として示される）に沿って伝搬し、次に眼球モデル１６に衝突する。図１に示される例示的な実施形態では、これは、より詳細に後述するように、人工眼球モデル１６である。実際の適用の場合、眼球モデル１６は代わりに、処置する患者の実際の目により提供し得る。
【００２３】
レーザ放射を案内し整形する様々な構成要素をビーム路１４に配置し得る。図１に示される例示的な実施形態では、これらの構成要素は特に、集束対物レンズ１８及び集束対物レンズ１８から上流に接続されるスキャナ２０を含み、スキャナ２０により、レーザ源１２により提供され、集束対物レンズ１８により生成されるレーザ放射の集束は、ｚ方向において及びビーム路に対して横に（ｘ及びｙ方向において）偏向可能である。
【００２４】
レーザ装置１０は、予め定義される制御プログラムに従ってスキャナ２０を制御する制御システム２２も含む。制御プログラムは、例えば、眼球モデル１６において生成すべき適用プロファイル、特に生成すべき焼灼プロファイルを実施する。適用プロファイルは、例えば、レーザ装置１０、例えばレーザ源１２及び／又はスキャナ２０の較正の範囲内で実行し得るような、テスト適用のプロファイルに対応し得る。このために、例えば、生成されるレーザ放射のエネルギーは、後続する複数の的世ステップ内で変更し得る。代替又は追加として、適用プロファイルは、レーザ処置例又は患者固有のレーザ処置の焼灼プロファイルに対応し得る。例えば、実際の目の診断データに基づいて焼灼プロファイルを計算し、適用プロファイルとしてこの焼灼プロファイル又はそこから導出されるプロファイルを実施することを提供し得る。
【００２５】
例えば、ｉｎ  ｓｉｔｕ角膜曲率形成術（ＬＡＳＩＫ）又は白内障手術でのレーザに必要なように、レーザ源１２が、ピコ秒、フェムト秒、又はアト秒の範囲のパルス持続時間を有するパルスレーザ放射を発し、目組織内の切除に適する超短パルスレーザとして設計されることも提供し得る。
【００２６】
図１は、高度に概略的に示される目追跡システム２４を示す。目追跡システム２４は、複数の次元、特に３つ以上の次元で目の並進運動及び回転運動を検出するように設計される目追跡器であり得る。目追跡器２４は、レーザ装置１０の一部として提供されてもよく、又は別個の装置の形態であってもよい。
【００２７】
目追跡器２４は、当業者に既知の様々な方法で実施し得る。図１に示される例示的な実施形態では、目追跡器２４は赤外線カメラユニット２６を含み、赤外線カメラユニット２６は、例えば、眼球モデル１６の周りに位置する１つ又は複数の赤外線カメラを使用して、眼球モデル１６の複数の赤外線画像を記録するように構成される。別の例示的な実施形態では、目追跡器は、光コヒーレンストモグラフィ（ＯＣＴ）に基づく目追跡器として実現し得る。目追跡器２４は、記録された赤外線画像に基づいて眼球モデル１６の位置及び／又は向き又は動きを検出するように構成される。このために、目追跡器２４は、適する画像認識プロセスを利用し得、画像認識プロセスにより、記録された赤外線画像において、少なくとも１つの目基準特徴、例えば少なくとも１つの目の構造（例えば、目の瞳孔及び／又は虹彩構造の縁部）が特定される。
【００２８】
図１に示される例示的な実施形態では、目追跡器２４は適するインターフェースを介してレーザ装置１０の制御システム２２に接続され、それにより、目追跡器２４により収集されたデータを制御システム２２に中継し得る。制御システム２２は、目追跡器２４により特定される眼球モデル１６の位置及び／又は向きを考慮に入れて、レーザ放射を制御するように構成される。したがって、目基準特徴の動きに応じて、レーザ放射を眼球モデル１６に適用すること、例えば、目基準特徴の変化する位置及び／又は向きに空間的に適合された、眼球モデル１６上のビーム集束位置を適用することが提供される。
【００２９】
図１に示される眼球モデル１６は、人工眼球体２８及び照射テスト物体３０を含む。パターンは、目の瞳孔３２及び虹彩構造３４を模擬する人工眼球体２８に適用される。照射テスト物体３０は、例えば、パターンを完全に覆って又はパターンに重なってパターンの上に配置される。眼球モデル１６は、目追跡器２４の赤外線カメラユニット２６に相対した３つの空間方向ｘ、ｙ、ｚに沿った並進運動及び３つの空間軸ｘ、ｙ、ｚの回りの回転運動を受け得る（図１に示される座標系により示されるように）。
【００３０】
眼球モデル１６（例えば、眼球体２８）をここに示されていない位置決め装置上に配置することを提供し得る。位置決め装置も、眼球モデル１６を動かすように構成し得る。位置決め装置は、例えば、簡単な形態ロック嵌めにより患者台に挿入することにより、例えば、患者台の頭部支持体（レーザ屈折矯正処置の範囲内で使用される）のエリアに配置し得る。代替又は追加として、目追跡器２４と眼球モデル１６との間の相対移動は、例えば、赤外線カメラユニット２６の位置及び向きを変えることにより行い得る。
【００３１】
別の例示的な実施形態では、眼球モデル１６は、患者の人間の目に配置される照射テスト物体３０を含み得る。この場合、人工眼球体２８は必要ない。人工眼球体２８を含む上記実施形態と同様に、照射テスト物体３０は、例えば、パターンを完全に覆って又はパターンに重なってパターンの上に配置される（例えば、コンタクトレンズ等）。パターンは、人間の目の瞳孔及び／又は虹彩構造により形成される。
【００３２】
図２Ａ〜図２Ｃは、図１からの眼球モデルの例示的な一実施形態の概略図を示す。図２Ａは上面図を示し、図２Ｂは側面図を示し、図２Ｃは図２Ａに示される断面線Ｉに沿った眼球モデル１６の断面図を示す。
【００３３】
眼球モデル１６は、図１を参照して既に述べたように、人工眼球体２８及び照射テスト物体３０を含む。図２Ａ〜図２Ｃに示される例示的な実施形態では、眼球体２８は、眼球体２８の表面が平坦な平坦エリア４０を有する。平坦エリア４０は、眼球体２８の円盤形（例えば、楕円形、特に円形）カバー表面を形成する。リングのように平坦エリア４０を囲む凸湾曲周縁面４４が、環状、例えば円形の縁部４２を介して平坦エリア４０に接合する。周縁面４４は、楕円面（例えば、球面）の形状に従って環状面として設計される。眼球体２８は、例えば、楕円形円盤（例えば、球形円盤）又は楕円面（例えば、球面）の形状をとり得る。
【００３４】
平坦エリア４０の領域において、眼球体２８は、目の瞳孔３２及び虹彩構造３４（図１参照）の模擬物（すなわち、レプリカ）を有するパターンを有する。パターンは、赤外線照明下であっても、眼球体２８の周縁面４４と色のコントラストを有する。図２Ａ〜図２Ｃに示される例示的な実施形態では、パターンは眼球体２８の平坦エリア４０の全体にわたり延在する。別の例示的な実施形態では、パターンが虹彩構造３４のみ又は目の瞳孔３２のみを模擬することを提供し得る。少なくともこの場合、眼球モデル１６は平坦エリア４０の領域（例えば、瞳孔模擬のみの場合、目の瞳孔３２の周囲のエリア）にパターンを有しないことがある。そのようなエリアでは、パターンを眼球体２８に適用しない（例えば、プリント又は接着しない）ことを提供し得る。
【００３５】
照射テスト物体３０は、眼球体２８上、特に眼球体２８が有するパターンの上に配置される。図１〜図２Ｃに示される例示的な実施形態では、眼球体２８上に配置された照射テスト物体３０はシェル形を有する（以下、テストシェル３０とも呼ばれる）。
【００３６】
テストシェル３０は、凸湾曲シェル上面４６を有する。シェル上面４６が概ね双円環（ｂｉｔｏｒｏｉｄａｌ）形を有することを提供し得る。したがって、シェル上面４６は、それぞれ異なる曲率半径を有する、それぞれの場合で非球面的に互いに対して十字に延びる２つの曲率線に沿って延び得る。少なくともこの場合、シェル上面４６の凸曲率は、人間の角膜表面の曲率に実質的に対応し得る。
【００３７】
テストシェル３０は、図２Ｃに明らかであるように、シェル上面４６から逆の凹湾曲シェル下面４８も有する。眼球体２８上に配置されたテストシェル３０の状態では、シェル下面４８はパターンに面する。シェル下面４８とシェル上面４６との間に延びるテストシェル３０の厚さが、少なくともパターンの上に配置されるエリア内で有意な変動を有しないことを提供し得る。テストシェルの厚さが、約２００μｍ〜約１０００μｍの値、例えば約４００μｍ〜約７００μｍの値をとり得ることを更に提供し得る。
【００３８】
テストシェル３０は眼球体２８上に配置される。このために、図１〜図２Ｃに示される例示的な実施形態でのテストシェル３０は、例えば、平坦エリア４０を覆うドームのように、眼球体２８の平坦エリア４０を囲む環状縁部４２にかぶせられる。代替的には、例えば、テストシェル３０を眼球体２８の平坦エリア４０に配置する（例えば、平坦エリア４０上に置くか、又は平坦エリア４０内に導入される溝に挿入する）ことを提供し得る。
【００３９】
眼球体２８が、例えば、パターンのエリア又はパターンの一部（例えば、虹彩構造３４を模擬するエリア）においても、球面に適合する表面等の凸湾曲面を有することも考案し得る。この場合、照射テスト物体３０は、例えば、パターンを有する眼球体２８の凸湾曲面領域にかぶせることができる。この場合、シェル下面４８は眼球体２８の凸湾曲面に密に適合し得る。
【００４０】
図１〜図２Ｃに示される例示的な実施形態では、特に約１０ｍｍ〜１３ｍｍのシェル直径ΦＤがテストシェル３０に提供される（図２Ｃ参照）。シェル直径は、シェル下面４８の縁部により形成されるリングの直径を表す。代替的には、テストシェル３０は、約８ｍｍ〜約１６ｍｍのより大きな又は小さな直径を有し得る。シェル直径の寸法は、例えば、テストシェル３０により覆われるべきパターンに依存し得る。したがって、目の瞳孔３２の模擬物のみを覆う場合、少なくとも虹彩構造３４の模擬物を覆う場合と比較してより小さなシェル直径を提供し得る。加えて、シェル直径の大きさは、テストシェル３０が実際の目に挿入可能であるようなものであり得る。
【００４１】
特定の実施形態では、テストシェル３０は硬質シェルとして設計される。この場合、テストシェル３０は、眼球体２８から外されているか、それとも眼球体２８上に配置されているかに関係なく、略同じシェル曲率及び略同じシェル直径を有する。しかし、代替的には、テストシェル３０は軟質シェルとして設計することもできる。例えば、テストシェル３０が眼球体２８から外されているとき、テストシェル３０のシェル曲率が平らになり、シェル直径が平坦化に応じて大きくなることを提供し得る。この場合、図２Ｃに示されるシェル直径ΦＤは、眼球体２８上のテストシェル３０のシェル直径として理解される。例えば、小孔内手術の場合、軟質シェルを使用し得る。
【００４２】
図１及び図２Ａに示されるように、照射テスト物体３０は、少なくとも、予め定義される波長範囲の光を透過可能であるように設計される。図１に関して説明した目追跡器２４との眼球モデル１６の併用の範囲内で、照射テスト物体３０が、特に赤外線波長範囲の光を透過可能な材料で作られることを提供し得る。パターンを有する眼球体２８の表面と照射テスト物体３０のシェル下面４６との間の空間には、空間又は少なくとも赤外線波長範囲の光を透過可能な何らかの他の媒体を充填することもできる。したがって、目追跡器２４の赤外線カメラユニット２６を使用して、照射テスト物体３０の下に配置される眼球体２８のパターンの赤外線画像を記録することを提供し得る。特定の実施形態では、照射テスト物体３０は、照射テスト物体３０を通して検出可能なパターンが有意な光学歪みを有しないようにも設計される。
【００４３】
図１〜図２Ｃに示される照射テスト物体３０は、図１を参照して説明したレーザ装置１０のレーザ放射により変更可能な材料でも作られ、それにより、適用プロファイルを視覚化する材料変更は、予め定義される適用プロファイルに従ってレーザ放射を適用することにより照射テスト物体３０を生成する。
【００４４】
図１〜図２Ｃに示される例示的な実施形態では、材料変更は、ビーム集束エリアにおける照射テスト物体３０の表面から材料を除去することを含む。特に、材料は、例えば、人間の角膜の焼灼範囲内で、テストシェル３０のシェル上面から除去される（蒸発する）。材料変更は、照射テスト物体３０の変色を含むこともできる。照射テスト物体３０の変色は、例えば、照射テスト物体３０の材料が、例えば、適用されるレーザ放射のビーム集束エリアにおいてテストシェル３０のシェル上面４６を乳白色に変えることであり得る。別の例示的な実施形態では、材料変更は、照射テスト物体の着色（適用プロファイルの様々な角膜深さに応じて色を変える等）を含み得る。
【００４５】
照射テスト物体３０は、中実材料で作られた中実体として提供される。例えば、剛性又は可撓性の設計を有する中実体は寸法的に安定している。代替的には、例えば、弾性設計を有する中実体（例えば、軟質シェルの場合）は寸法的に不安定であり得る。中実材料はプラスチック材料（ポリメチルメタクリレート等）を含み得る。中実体として（ハード又はソフト）コンタクトレンズ（好ましくは屈折矯正なし）を使用することを提供することもできる。少なくともこの場合、例えば、中実体の材料はシリコンハイドロゲルを含み得る。
【００４６】
代替的には、材料変更は材料固化を含み得る。照射テスト物体３０の材料が、レーザ装置１０（図１参照）のレーザ放射により固化する液体材料を含むことを提供し得る。例えば、材料固化により、適用プロファイルを視覚化する三次元モデルを生成し得る。
【００４７】
図１〜図２Ｃを参照して説明した眼球モデル１６が図１に示されるレーザ装置１０と併用される場合、人間の目のレーザ処置は、目追跡を同時に用いて、レーザ装置１０によりシミュレートし得る。適用プロファイルは、処置プロファイル例又は患者固有の処置プロファイル（焼灼プロファイル）のいずれかに対応し得る。加えて、眼球モデル１６の運動（例えば、位置決め装置により生じる）及び目追跡器２４による運動の検出により、レーザ屈折矯正処置の過程での患者の典型的な目の動きをシミュレートし得る。次に、照射テスト物体３０において生成される材料変更は、実際の状況下でのそのような処置の結果を視覚化する。
【００４８】
変更された照射テスト物体３０は眼球体２８から取り外して、例えば、材料変更を分析し得る。したがって、材料変更は、制御プログラムにより実施される適用プロファイルと協調して、例えば、レーザ装置１０を較正し、レーザ装置１０及び／又は目追跡器２４の１つ又は複数の機能テストを行い、並びに／或いはレーザ処置を視覚化し得る（例えば、患者の）。変更された照射テスト物体３０が実際の目に挿入可能であり、それにより、例えば、角膜の屈折性への材料変更の効果を患者に対して示すことを提供し得る。加えて、レーザ装置１０における変更された照射テスト物体を未変更照射テスト物体３０で置換して、同じ適用プロファイルに従って又は変更された適用プロファイルに従ってレーザ放射の適用を繰り返すことを提供し得る。
【００４９】
照射テスト物体３０の特徴について人工眼球体２８に関連した説明した。図１〜図２Ｃに示される照射テスト物体３０を代わりに患者の実際の人間の目と一緒に使用し得ることを理解されたい。この場合、患者は、レーザ処置の過程及び結果（角膜の屈折性の変更）を経験することができる。
【図１】
0006721680.tif 000002
【図２Ａ】
0006721680.tif 000003
【図２Ｂ】
0006721680.tif 000004
【図２Ｃ】
0006721680.tif 000005